(57)【要約】      （修正有）【課題】霧によって空中に図形を描画する。【解決手段】霧を用いて空中に図形を描画する霧描画装置は、超音波振動子を備え、超音波振動子を収容する筐体を備え、筐体上に配置された振動部材を備え、振動部材は、超音波振動子の超音波振動を振動部材上の液体に伝播することにより、振動部材上の液体を霧化させる。振動部材は振動分布を有し、霧化した液体が振動分布に応じた円柱状の形態を形成することにより、振動分布に応じた図形を空中に描画する、霧描画装置。【選択図】図５
2019042633.tif 000002
【特許請求の範囲】
【請求項１】
霧を用いて空中に図形を描画する霧描画装置であって、
超音波振動子を備え、
前記超音波振動子を収容する筐体を備え、
前記筐体上に配置された振動部材を備え、
前記振動部材は、前記超音波振動子の超音波振動を前記振動部材上の液体に伝播させさせることにより、前記振動部材上の液体を霧化させる、
霧描画装置。
【請求項２】
前記振動部材の上面は、前記液体を滞留させる滞留部を有する、
請求項１に記載の霧描画装置。
【請求項３】
霧を用いて空中に図形を描画する霧描画装置であって、
超音波振動子を備え、
前記超音波振動子の上方に配置された振動部材を備え、
前記振動部材の上面は、液体を滞留させる滞留部を有し、
前記振動部材は、前記超音波振動子の超音波振動を前記滞留部に滞留する液体に伝播することにより、前記滞留部に滞留する液体を霧化させるように構成される、
霧描画装置。
【請求項４】
前記滞留部は、凹凸、くぼみ、傾斜面、及び、流路の少なくとも１つである、
請求項２又は３に記載の霧描画装置。
【請求項５】
前記振動部材は、前記霧描画装置に対して着脱可能である、
請求項１〜４の何れかに記載の霧描画装置。
【請求項６】
前記液体を収容するカートリッジを受け入れるカートリッジ受入部を備え、
前記カートリッジ受入部によって受け入れられたカートリッジに収容された液体を前記振動部材上に供給する供給部を備える、
請求項１〜５の何れかに記載の霧描画装置。
【請求項７】
前記液体を収容する収容部を備え、
前記収容部に収容された液体を前記振動部材上に供給する供給部を備える、
請求項１〜５の何れかに記載の霧描画装置。
【請求項８】
前記振動部材と前記超音波振動子は鉛直方向に接合され、
前記鉛直方向に対して直交する方向について、前記振動部材の幅は、前記超音波振動子の径より大きい、
請求項１〜７の何れかに記載の霧描画装置。
【請求項９】
前記振動部材は、鉛直方向に沿って、前記鉛直方向に対して直交する方向のサイズが変化する部分を含む、
請求項８に記載の霧描画装置。
【発明の詳細な説明】
【技術分野】
【０００１】
本発明は、霧描画装置に関する。
【背景技術】
【０００２】
一般に、超音波振動が液滴に伝播すると、液滴の一部が霧化することが知られている。この原理は、水を噴霧する加湿器、及び、香料を含む薬液を噴霧するアロマディフューザに応用されている。
【０００３】
例えば、特許文献１には、この原理を応用した超音波霧化装置が開示されている。
【先行技術文献】
【特許文献】
【０００４】
【特許文献１】特開２０１３−２３０４３０号公報
【発明の概要】
【発明が解決しようとする課題】
【０００５】
本発明者は、霧化した液体が様々な形態を成す（つまり、霧によって空中に図形が描画される）ことを発見した。
【０００６】
しかし、従来の超音波霧化装置は、霧化した液体を拡散させることを目的とするものである。例えば、特許文献１の超音波霧化装置は、噴霧する薬液の拡散性を高めることを目的とするので、振動板が筐体の内部に配置されている。そのため、霧化した液体は、空気中に広く拡がる。そのため、ユーザは、霧化した液体によって描画される図形を観察することができない。
【０００７】
つまり、従来の超音波霧化装置は、霧化した液体によって図形を空中に描画することを目的としていない。
【０００８】
本発明の目的は、霧によって図形を空中に描画することである。
【課題を解決するための手段】
【０００９】
本発明の一態様は、
超音波振動子を備え、
前記超音波振動子を収容する筐体を備え、
前記筐体上に配置された振動部材を備え、
前記振動部材は、前記超音波振動子の超音波振動を前記振動部材上の液体に伝播することにより、前記振動部材上の液体を霧化させる、
霧描画装置である。
【発明の効果】
【００１０】
本発明によれば、霧によって図形を空中に描画することができる。
【図面の簡単な説明】
【００１１】
【図１】本実施形態の霧描画装置の構成を示す概略図である。
【図２】図１の霧描画装置をＩ−Ｉ線で切断したときの断面図（図２Ａ）、及び、霧描画装置の上面図（図２Ｂ）である。
【図３】図１の霧描画装置の使用方法を示す図である。
【図４】図３の霧描画装置をＩＩ−ＩＩ線で切断したときの断面図（図４Ａ）、及び、霧描画装置の上面図（図４Ｂ）である。
【図５】図１の霧描画装置の動作原理の説明図である。
【図６】図１の超音波振動装置によって霧化された液体の形態の一例を示す概略図である。
【図７】図６の状態から時間が経過した後の液体の形態の一例を示す図である。
【図８】変形例１の振動部材の上面の形状の一例を示す概略図である。
【図９】変形例２の振動部材の上面の形状の一例を示す概略図である。
【図１０】変形例３の霧描画装置の構成を示す概略図である。
【図１１】変形例４の霧描画装置の構成を示す概略図である。
【図１２】変形例６の振動部材の突出部の形態の一例を示す概略図である。
【図１３】変形例７の霧描画装置の構成を示す概略図である。
【発明を実施するための形態】
【００１２】
以下、本発明の一実施形態について、図面に基づいて詳細に説明する。なお、実施形態を説明するための図面において、同一の構成要素には原則として同一の符号を付し、その繰り返しの説明は省略する。
【００１３】
以下の説明において、Ｙ方向は鉛直方向である。Ｘ方向及びＺ方向は、鉛直方向に直交する方向である。Ｘ方向、Ｙ方向、及び、Ｚ方向は、互いに直交する。
【００１４】
（１）霧描画装置の構成
霧描画装置の構成について説明する。図１は、本実施形態の霧描画装置の構成を示す概略図である。図２は、図１の霧描画装置をＩ−Ｉ線で切断したときの断面図（図２Ａ）、及び、霧描画装置の上面図（図２Ｂ）である。本実施形態の霧描画装置１の動作原理を説明する。
【００１５】
図１の霧描画装置１は、霧を用いて空中に図形を描画するように構成される。
霧描画装置１は、筐体１０と、振動部材１１と、ネジ１２と、超音波振動子１３と、制御部１４と、を備える。
【００１６】
筐体１０は、超音波振動子１３と、制御部１４と、を収容する。
【００１７】
図１に示すように、振動部材１１は、鉛直方向（Ｙ方向）について、筐体１０の上部に着脱可能に配置される。つまり、振動部材１１は、超音波振動子１３の上方Ｙ＋に配置される。
振動部材１１の上面１１ａは、平面である。
振動部材１１は、例えば、以下の材料の少なくとも１つを含む。
・金属（一例として、アルミニウム、ステンレス、真鍮、又は、それらの合金）
・金属箔（一例として、アルミニウム、ステンレス、真鍮、又は、それらの合金からなる金属箔）
・ガラス
・セラミック
・樹脂（一例として、プラスチック）
【００１８】
超音波振動子１３は、超音波振動を発生させるように構成される。
図２に示すように、ＸＺ平面において、超音波振動子１３の直径は、振動部材１１の辺より長い。つまり、上面視において、超音波振動子１３の上方Ｙ＋は、振動部材１１に覆われる。
超音波振動子１３の中心１３ｃの位置は、鉛直方向（Ｙ方向）に直交する方向（Ｘ方向及びＺ方向）について、振動部材１１の中心１１ｃと一致する（つまり、振動部材１１及び超音波振動子１３は、Ｘ方向及びＺ方向について、同心に位置する）。
超音波振動子１３は、例えば、以下の少なくとも１つを含む。
・ボルト締めランジュバン振動子
・圧電素子
・磁歪素子
【００１９】
図２Ａに示すように、振動部材１１は、突出部１１ｂを有する。
突出部１１ｂは、下方Ｙ−に突出する。突出部１１ｂ及び超音波振動子１３は、ネジ１２を介して、鉛直方向（Ｙ方向）に接合される。
図２Ａ及び図２Ｂに示すように、Ｘ方向及びＺ方向について、振動部材１１の幅は、超音波振動子１３の径より大きい。
【００２０】
制御部１４は、超音波振動子１３を駆動するための駆動制御信号を生成するように構成される。
超音波振動子１３は、駆動制御信号に従って駆動することにより、超音波振動を発生させる。つまり、制御部１４は、駆動制御信号を生成することにより、超音波振動子１３の超音波振動を制御するように構成される。
【００２１】
（２）霧描画装置の動作原理
本実施形態の霧描画装置の動作原理を説明する。図３は、図１の霧描画装置の使用方法を示す図である。図４は、図３の霧描画装置をＩＩ−ＩＩ線で切断したときの断面図（図４Ａ）、及び、霧描画装置の上面図（図４Ｂ）である。図５は、図１の霧描画装置の動作原理の説明図である。
【００２２】
図３に示すように、霧描画装置１のユーザは、原液Ｌ０が収容されたパッケージＰから、原液Ｌ０を振動部材１１の上面１１ａに滴下する。
【００２３】
図４に示すように、パッケージＰから滴下された原液Ｌ０は、液滴Ｌ１となって、上面１１ａに滞留する。
【００２４】
ユーザが所定の操作（例えば、スタートボタン（不図示）の押下）を行うと、図５に示すように、制御部１４は、超音波振動子１３に駆動制御信号を生成する。
【００２５】
超音波振動子１３は、制御部１４によって生成された駆動制御信号に従って超音波振動を発生させる。超音波振動子１３の超音波振動は、振動部材１１の突出部１１ｂを介して、上面１１ａに伝播する。上面１１ａに伝播した超音波振動は、上面１１ａを含むＸＺ平面で振動分布を形成する。その結果、上面１１ａには、振動が強い位置と、振動が弱い位置と、が混在する。
【００２６】
振動部材１１の上面１１ａ上の液滴Ｌ１には、上面１１ａを含むＸＺ平面上の位置に応じた強さの超音波振動が伝播する。超音波振動が液滴Ｌ１に伝播すると、液滴Ｌ１は、振動部材１１の上方Ｙ＋に向かって徐々に霧化する。つまり、振動部材１１は、超音波振動子１３の超音波振動に応じて液滴Ｌ１を霧化させるように構成される。
【００２７】
（３）霧描画装置によって霧化された液体の形態
本実施形態の霧描画装置１によって霧化された液体の形態を説明する。図６は、図１の超音波振動装置によって霧化された液体の形態の一例を示す概略図である。図７は、図６の状態から時間が経過した後の液体の形態の一例を示す図である。
【００２８】
超音波振動が液滴Ｌ１に伝播すると、図６に示すように、液滴Ｌ１は、上方Ｙ＋に向かって上昇する。霧化した液滴Ｌ１は、上方Ｙ＋に延びる円柱状の形態（以下「霧柱」という）Ｌ２を形成する。
【００２９】
液滴Ｌ１の霧化量は、伝播した超音波振動の強さによって決まるので、上面１１ａを含むＸＺ平面上の振動分布に依存する。振動が強い位置では、液滴Ｌ１の霧化量は多くなる。振動が弱い位置では、液滴Ｌ１の霧化量は少なくなる。振動が著しく弱い位置又は振動しない位置では、液滴Ｌ１は霧化しない。その結果、上面視（Ｙ−方向の視点）において、振動が強い位置又は弱い位置で、霧柱Ｌ２が観察されるが、振動が著しく弱い位置又は振動しない位置では、霧柱Ｌ２は観察されない。
つまり、上面視（Ｙ−方向の視点）において、霧柱Ｌ２は、振動分布に応じた霧化分布を描く。換言すると、上面視（Ｙ−方向の視点）では、霧柱Ｌ２が存在しない空間は、上面１１ａを含むＸＺ平面において振動が著しく弱い位置又は振動しない位置に対応する。
一般に、砂によって振動分布が可視化された図形をクラドニ図形と言う。霧描画装置１は、クラドニ図形のように、霧柱Ｌ２を用いて、振動分布に応じた図形を空中に描画する。
【００３０】
振動分布は、振動部材１１の特性に依存する。振動分布に影響を与える特性は、例えば、以下の少なくとも１つである。
・振動部材１１の弾性率（例えば、ヤング率）
・上面１１ａの形状（一例として、四角形、円形、星形、又は、ハート形）
【００３１】
図１に示すように、振動部材１１は、筐体１０上に配置されるので、振動部材１１の上面１１ａは、霧描画装置１の上端に位置する。つまり、上面１１ａの全体が露出しているこれにより、ユーザは、霧柱Ｌ２が振動分布に応じた図形を描く様子を観察することができる。
【００３２】
液滴Ｌ１が霧化し始めてから一定時間が経過すると、振動部材１１の上面１１ａに滞留する液滴Ｌ１の残量が減少する。霧柱Ｌ２の形態は、振動部材１１上の液滴Ｌ１の残量に応じて変化する。液滴Ｌ１の残量は、時間の経過と共に減少する。従って、霧柱Ｌ２の形態は、時間の経過と共に変化する。つまり、霧描画装置１は、霧柱Ｌ２の形態が経時的に変化する様子を演出することができる。
【００３３】
一例として、図７Ａに示すように、霧柱Ｌ２の位置が経時的に変化する。つまり、ユーザは、霧柱Ｌ２が振動部材１１上を移動する様子を観察することができる。
【００３４】
別の例として、図７Ｂに示すように、霧柱Ｌ２が、他の霧柱Ｌ２と合流する。つまり、ユーザは、霧柱Ｌ２が振動部材１１上で合体する様子を観察することができる。
別の例として、振動部材１１の上面１１ａに滞留する液滴Ｌ１が少なくなると、図７Ｃに示すように、霧柱Ｌ２は、ＸＺ平面において細くなる。つまり、ユーザは、霧柱Ｌ２のサイズが振動部材１１上で変化する様子を観察することができる。
【００３５】
実際には、図６及び図７に示すような形態が、振動部材１１の上面１１ａに滞留する液滴Ｌ１が消失するまで、変化し続ける。
【００３６】
（４）変形例
本実施形態の変形例について説明する。
【００３７】
（４−１）変形例１
変形例１について説明する。変形例１は、振動部材１１の形状の変形例である。図８は、変形例１の振動部材の上面の形状の一例を示す概略図である。
【００３８】
図８Ａに示すように、振動部材１１の上面１１ａは、凹凸１１ａａを有してもよい。
この場合、液滴Ｌ１が凹部（つまり、特定の位置）に滞留する。このように、凹凸１１ａａは、滞留部として機能する。
【００３９】
図８Ｂに示すように、振動部材１１の上面１１ａは、くぼみ１１ａｂを有してもよい。
この場合、液滴Ｌ１がくぼみ１１ａｂ（つまり、特定の位置）に集まる。このように、くぼみ１１ａｂは、滞留部として機能する。
【００４０】
図８Ｃに示すように、振動部材１１の上面１１ａは、中心１１ｃに向かうほど低位になる（つまり、鉛直方向（Ｙ方向）について下方Ｙ−に位置する）傾斜面１１ａｃであってもよい。
この場合、液滴Ｌ１が中心１１ｃ（つまり、特定の位置）に滞留する。このように、傾斜面１１ａｃは、滞留部として機能する。
【００４１】
図８に示すように、振動部材１１の上面１１ａの形状に応じて、振動分布が変化する。振動分布に応じて、霧柱Ｌ２の形態が変化する。
【００４２】
変形例１によれば、滞留部が、上面１１ａの特定の位置で液滴Ｌ１を滞留させる。これにより、より確実に霧柱Ｌ２を形成することができる。
【００４３】
（４−２）変形例２
変形例２について説明する。変形例２は、液体を滞留させる流路を有する振動部材１１の例である。図９は、変形例２の振動部材の上面の形状の一例を示す概略図である。
【００４４】
図９Ａは、変形例２の振動部材１１の上面図である。図９Ｂは、図９Ａの線ＩＩＩ−ＩＩＩで切断したときの断面図である。
【００４５】
図９に示すように、振動部材１１の上面１１ａは、流路１１ａｄを有する。流路１１ａｄは、ＸＹ平面に延在している。
この場合、液滴Ｌ１が流路１１ａｄに沿って移動しながら滞留する。このように、流路１１ａｄは、一定範囲内で移動する液滴Ｌ１を滞留させる滞留部として機能する。
【００４６】
変形例２によれば、流路１１ａｄが、流路１１ａｄによって画定される上面１１ａ上の領域内を移動する液滴Ｌ１を滞留させる。霧柱Ｌ２が成す形態は、液滴Ｌ１の量だけでなく、流路１１ａｄ上に滞留する液滴Ｌ１の滞留分布に応じて変化する。液滴Ｌ１は、振動部材１１の振動の影響を受けて流路１１ａｄ上を移動するので、滞留分布は、時間の経過と共に変化する。つまり、霧化量、及び、滞留分布の両方が経時的に変化する。
これにより、時間の経過と共に、霧柱Ｌ２の形態がより複雑に変化する様子を演出することができる。
【００４７】
（４−３）変形例３
変形例３について説明する。変形例３は、霧描画装置１に対して着脱可能なカートリッジに収容された原液Ｌ０を振動部材１１の上面１１ａに供給する例である。図１０は、変形例３の霧描画装置の構成を示す概略図である。
【００４８】
図１０に示すように、霧描画装置１は、図１の構成に加えて、カートリッジ受入部２０と、供給パイプ２１と、を備える。
【００４９】
カートリッジ受入部２０は、原液Ｌ０が収容されたカートリッジＣＡを受け入れるように構成される。つまり、カートリッジＣＡは、霧描画装置１に対して着脱可能である。
【００５０】
振動部材１１の上面１１ａは、供給孔２２を有する。
供給パイプ２１の一端は、カートリッジ受入部２０に挿通され、供給パイプ２１の他端は、供給孔２２に挿通される。供給パイプ２１は、カートリッジ受入部２０に取り付けられたカートリッジＣＡに収容された原液Ｌ０を供給孔２２から上面１１ａに供給するように構成される。
【００５１】
制御部１４は、供給部（不図示）を制御するための供給制御信号を生成する。供給部は、例えば、電動ポンプである。
供給部は、制御部１４によって生成された供給制御信号に従って、カートリッジ受入部２０に取り付けられたカートリッジＣＡから原液Ｌ０を吸い出す。
供給部によって吸い出された原液Ｌ０は、供給パイプ２１を通って振動部材１１の供給孔２２から上面１１ａに供給される。
【００５２】
変形例３によれば、原液Ｌ０が供給孔２２から振動部材１１の上面１１ａに供給される（つまり、上面１１ａにおける特定の位置から原液Ｌ０が供給される）。これにより、上面１１ａに滞留する液滴Ｌ１の分布を安定させることができる。その結果、霧柱Ｌ２の形態をより安定させることができる。
【００５３】
また、ユーザは、カートリッジＣＡを交換することにより、様々な種類の原液Ｌ０から発生する霧柱Ｌ２による図形を空中に描画させることができる。
【００５４】
（４−４）変形例４
変形例４について説明する。変形例４は、霧描画装置１内に配置された収容部に収容された原液Ｌ０を振動部材１１の上面１１ａに供給する例である。図１１は、変形例４の霧描画装置の構成を示す概略図である。
【００５５】
図１１に示すように、霧描画装置１は、図１の構成に加えて、収容部３０と、供給パイプ３１と、を備える。
【００５６】
収容部３０は、原液Ｌ０を収容するように構成される。
筐体１０は、収容部３０を収容する。つまり、収容部３０は、筐体１０内に配置される。
【００５７】
振動部材１１の上面１１ａは、供給孔３２を有する。
供給パイプ３１の一端は、収容部３０に挿通され、供給パイプ３１の他端は、供給孔３２に挿通される。供給パイプ３１は、収容部３０に収容された原液Ｌ０を供給孔３２から上面１１ａに供給するように構成される。
【００５８】
制御部１４は、供給部（不図示）を制御するための供給制御信号を生成する。供給部は、例えば、電動ポンプである。
供給部は、制御部１４によって生成された供給制御信号に従って、収容部３０から原液Ｌ０を吸い出す。
供給部によって吸い出された原液Ｌ０は、供給パイプ３１を通って振動部材１１の供給孔３２から上面１１ａに供給される。
【００５９】
変形例４によれば、原液Ｌ０が供給孔３２から振動部材１１の上面１１ａに供給される（つまり、上面１１ａにおける特定の位置から原液Ｌ０が供給される）。これにより、上面１１ａに滞留する液滴Ｌ１の分布を安定させることができる。その結果、霧柱Ｌ２の形態をより安定させることができる。
【００６０】
また、変形例４によれば、ユーザは、収容部３０に収容する原液Ｌ０を交換することにより、様々な種類の原液Ｌ０から発生する霧柱Ｌ２による図形を空中に描画させることができる。
【００６１】
（４−５）変形例５
変形例５について説明する。変形例５は、複数の超音波振動子を備える霧描画装置１の例である。
【００６２】
変形例５の霧描画装置１は、複数の超音波振動子１３を備える。複数の超音波振動子１３は、中心１１ｃを軸として互いに対称となる位置に配置される。
【００６３】
一例として、制御部１４は、各超音波振動子１３に同一のタイミングで駆動制御信号を供給する。この場合、複数の超音波振動子１３は同時に超音波振動を発生させる。
振動部材１１には、同時に複数の超音波振動が伝播する。従って、振動分布は、本実施形態より複雑になる。
これにより、本実施形態より複雑な形態を有する霧柱Ｌ２を形成することができる。
【００６４】
別の例として、制御部１４は、各超音波振動子１３に個別のタイミングで駆動制御信号を供給する。この場合、各超音波振動子１３は、異なるタイミングで超音波振動を発生させる。つまり、複数の超音波振動子１３の超音波振動は、互いに位相差を有する。
振動部材１１には、異なる位相の超音波振動が伝播する。つまり、振動部材１１は、フェーズドアレイを形成する。従って、振動分布は、各超音波振動子１３に駆動制御信号が供給されるタイミングに応じて変化する。
換言すると、制御部１４は、各超音波振動子１３に駆動制御信号を供給するタイミングを動的に変えることにより、振動分布を動的に変化させることができる。その結果、霧柱Ｌ２の形態は、液滴Ｌ１の残量、及び、駆動制御信号が供給されるタイミングの両方に応じて変わる。
これにより、本実施形態より複雑な形態を有する霧柱Ｌ２を形成することができる。
【００６５】
（４−６）変形例６
変形例６について説明する。変形例６は、振動部材１１の突出部１１ｂの形態の変形例である。図１２は、変形例６の振動部材の突出部の形態の一例を示す概略図である。
【００６６】
図１２Ａに示すように、振動部材１１の突出部１１ｂのＸ方向及びＺ方向のサイズは、Ｙ−側の端部である下端が最も大きく、Ｙ＋側の端部である上端が最も小さい。つまり、突出部１１ｂは、鉛直方向（Ｙ方向）に沿って、Ｘ方向及びＺ方向のサイズが変化する。
【００６７】
図１２Ｂに示すように、振動部材１１は、接合部１１ｄを有する。
突出部１１ｂは、接合部１１ｄから下方Ｙ−に突出する。
接合部１１ｄのＸ方向及びＺ方向のサイズは、Ｙ＋側の端部である上端が最も大きく、Ｙ−側の端部である下端が最も小さい。つまり、接合部１１ｄは、鉛直方向（Ｙ方向）に沿って、Ｘ方向及びＺ方向のサイズが変化する。
【００６８】
変形例６によれば、振動部材１１は、鉛直方向（Ｙ方向）に沿って、Ｘ方向及びＺ方向のサイズが変化する部分を含む。その結果、超音波振動子１３の超音波振動を効率的に上面１１ａに伝播させることができる。
【００６９】
（４−７）変形例７
変形例７について説明する。変形例７は、霧柱Ｌ２によって描画される図形と光とを組み合わせた演出を提供する例である。図１３は、変形例７の霧描画装置の構成を示す概略図である。
【００７０】
図１３に示すように、変形例７の霧描画装置１は、図１と同様の構成に加えて、光源４０を備える。
【００７１】
光源４０は、制御部１４の制御に従って、光を発光するように構成される。光源４０は、振動部材１１の上面１１ａに配置される。つまり、光源４０は、振動部材１１の上方Ｙ＋に露出している。光源４０の光は、振動部材１１から上方Ｙ＋に向かって放射される。
光源４０は、例えば、ＬＥＤ（Light Emitting Diode）である。
【００７２】
制御部１４は、駆動制御信号と共に、光源４０を発光させるための発光制御信号を生成するように構成される。
光源４０は、発光制御信号に従って発光する。つまり、制御部１４は、発光制御信号を生成することにより、光源４０の発光を制御するように構成される。
【００７３】
変形例７によれば、霧柱Ｌ２の形態、及び、光源４０の光の組合せを演出することができる。
【００７４】
（５）本実施形態の小括
本実施形態について小括する。
【００７５】
本実施形態の第１態様は、
霧を用いて空中に図形を描画する霧描画装置１であって、
超音波振動子１３を備え、
超音波振動子１３を収容する筐体１０を備え、
筐体１０上に配置された振動部材１１を備え、
振動部材１１は、超音波振動子１３の超音波振動を振動部材１１上の液体に伝播させさせることにより、振動部材１１上の液体を霧化させる、
霧描画装置１である。
【００７６】
第１態様によれば、振動部材１１が筐体１０上に配置されている。従って、振動部材１１上の液滴Ｌ１がユーザに視認可能である。これにより、振動部材１１上の液滴Ｌ１が霧化する様子、及び、霧柱Ｌ２が成す態様をユーザに観察させることができる。
【００７７】
本実施形態の第２態様では、
振動部材１１の上面は、液体を滞留させる滞留部（例えば、凹凸１１ａａ、くぼみ１１ａｂ、傾斜面１１ａｃ、又は、流路１１ａｄ）を有する。
【００７８】
第２態様によれば、滞留部が、上面１１ａの特定の位置で液滴Ｌ１を滞留させる。これにより、より確実に霧柱Ｌ２を形成することができる。
【００７９】
本実施形態の第３態様は、
霧を用いて空中に図形を描画する霧描画装置１であって、
超音波振動子１３を備え、
超音波振動子１３の上方に配置された振動部材１１を備え、
振動部材１１の上面１１ａは、液体を滞留させる滞留部を有し、
振動部材１１は、超音波振動子１３の超音波振動を滞留部に滞留する液体に伝播することにより、液体を滞留部の上方に向かって霧化させるように構成される、
霧描画装置１である。
【００８０】
第３態様によれば、滞留部が、上面１１ａの特定の位置で液滴Ｌ１を滞留させる。これにより、より確実に霧柱Ｌ２を形成することができる。
【００８１】
本実施形態の第４態様では、
滞留部は、凹凸１１ａａ、くぼみａｂ、傾斜面１１ａｃ、及び、流路ａｄの少なくとも１つである。
【００８２】
本実施形態の第５態様では、
振動部材１１は、霧描画装置１に対して着脱可能である。
【００８３】
第５態様によれば、ユーザは、上面１１ａの形状が異なる振動部材１１を取り付けることにより、様々な形態の霧柱Ｌ２を観察することができる。
【００８４】
本実施形態の第６態様では、
液体を収容するカートリッジを受け入れるカートリッジ受入部２０を備え、
カートリッジ受入部２０によって受け入れられたカートリッジに収容された液体を振動部材１１上に供給する供給部を備える。
【００８５】
第６態様によれば、ユーザは、カートリッジＣＡを交換することにより、様々な種類の原液Ｌ０から発生する霧柱Ｌ２による図形を空中に描画させることができる。
【００８６】
本実施形態の第７態様では、
液体を収容する収容部３０を備え、
収容部３０に収容された液体を振動部材１１上に供給する供給部を備える。
【００８７】
第７態様によれば、ユーザは、収容部３０に収容する原液Ｌ０を交換することにより、様々な種類の原液Ｌ０から発生する霧柱Ｌ２による図形を空中に描画させることができる。
【００８８】
第８態様では、
振動部材１１と超音波振動子１３は鉛直方向（Ｙ方向）に接合され、
鉛直方向（Ｙ方向）に対して直交する方向（Ｘ方向及びＺ方向）について、振動部材１１の幅は、超音波振動子１３の径より大きい。
【００８９】
第９態様では、
振動部材１１は、鉛直方向（Ｙ方向）に沿って、鉛直方向（Ｙ方向）に対して直交する方向（Ｘ方向及びＺ方向）のサイズが変化する部分を含む。
【００９０】
第９態様によれば、超音波振動子１３の超音波振動を効率的に上面１１ａに伝播させることができる。
【００９１】
（６）その他の変形例
その他の変形例について説明する。
【００９２】
振動部材１１は、超音波振動子１３と同心に位置する中心１１ｃを有し、且つ、中心１１ｃを軸として対称性を有する形状（例えば、正方形、又は、円形）であってもよい。この場合、振動分布は、振動部材１１の中心１１ｃを軸として対称になる。従って、霧柱Ｌ２が成す形態も対称性を有する。
【００９３】
振動部材１１は、Ｙ方向について、超音波振動子１３から離間していても良い。この場合、超音波振動子１３の超音波振動は、空気中を伝播する。振動部材１１は、空気中を伝播した超音波振動を受けて振動する。
【００９４】
以上、本発明の実施形態について詳細に説明したが、本発明の範囲は上記の実施形態に限定されない。また、上記の実施形態は、本発明の主旨を逸脱しない範囲において、種々の改良や変更が可能である。また、上記の実施形態及び変形例は、組合せ可能である。
【符号の説明】
【００９５】
１        ：霧描画装置
１０      ：筐体
１１      ：振動部材
１１ｂ    ：突出部
１１ａａ    ：凹凸
１１ａｂ    ：くぼみ
１１ａｃ    ：傾斜面
１１ａｄ    ：流路
１１ｄ      ：接合部
１２      ：ネジ
１３      ：超音波振動子
１４      ：制御部
２０      ：カートリッジ受入部
２１      ：供給パイプ
２２      ：供給孔
３０      ：収容部
３１      ：供給パイプ
３２      ：供給孔
４０      ：光源
【図１】
2019042633.tif 000003
【図２】
2019042633.tif 000004
【図３】
2019042633.tif 000005
【図４】
2019042633.tif 000006
【図５】
2019042633.tif 000007
【図６】
2019042633.tif 000008
【図７】
2019042633.tif 000009
【図８】
2019042633.tif 000010
【図９】
2019042633.tif 000011
【図１０】
2019042633.tif 000012
【図１１】
2019042633.tif 000013
【図１２】
2019042633.tif 000014
【図１３】
2019042633.tif 000015
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
霧を用いて空中に図形を描画する霧描画装置であって、
超音波振動子を備え、
前記超音波振動子を収容する筐体を備え、
前記筐体上に配置された振動部材を備え、
前記振動部材の上面は、その全体が露出し、
前記振動部材の上面は、前記振動部材の上方から滴下された液体を滞留させる滞留部を有し、
前記振動部材は、前記超音波振動子の超音波振動を前記滞留部に滞留する液体に伝播することにより、前記滞留部に滞留する液体を霧化させるように構成される、
霧描画装置。
【請求項２】
前記滞留部は、前記振動部材の上面の凹凸により形成される、
請求項１に記載の霧描画装置。
【請求項３】
前記滞留部は、前記振動部材の上面のくぼみにより形成される、
請求項１に記載の霧描画装置。
【請求項４】
前記滞留部は、前記振動部材の上面の傾斜面により形成され、
前記傾斜面は、前記振動部材の上面の中心に向かうほど低位になっている、
請求項１に記載の霧描画装置。
【請求項５】
前記滞留部は、前記振動部材の上面の流路により形成される、
請求項１に記載の霧描画装置。
【請求項６】
前記振動部材と前記超音波振動子は鉛直方向に接合され、
前記鉛直方向に対して直交する方向について、前記振動部材の中心は、前記超音波振動子の中心と一致する、
請求項１〜５の何れかに記載の霧描画装置。
【請求項７】
前記振動部材は、前記霧描画装置に対して着脱可能である、
請求項１〜６の何れかに記載の霧描画装置。
【請求項８】
前記振動部材と前記超音波振動子は鉛直方向に接合され、
前記鉛直方向に対して直交する方向について、前記振動部材の幅は、前記超音波振動子の径より大きい、
請求項１〜７の何れかに記載の霧描画装置。
【請求項９】
前記振動部材は、鉛直方向に沿って、前記鉛直方向に対して直交する方向のサイズが変化する部分を含む、請求項８に記載の霧描画装置。